(57)【要約】【課題】ボルトの設置に係る作業性向上、設置精度向上、信頼性向上を簡単な構成で実現することができるボルト支持ユニット及び止め具を提供する。【解決手段】ボルト支持ユニット1は、おねじ部3aを有するボルト3と、ボルト3に固定される止め具4とを備え、止め具4は、ボルト3の軸方向に延設された貫通孔21を有する本体20、貫通孔21を形成する本体20の側壁24を軸方向に切り欠いた第1切欠部30、貫通孔21の内周面に形成されるめねじ部40、本体20から軸方向に延在されて支持対象物2が引っ掛けられて吊り下げられるフック50を具備するハンガー10を有し、本体20を軸方向に対し傾斜させた姿勢で第１切欠部30から本体20にボルト3を挿通させた後、本体20を軸方向に沿う向きに傾動させることにより、おねじ部3aに対する螺進方向と交差する交差方向から、めねじ部40がおねじ部3aに係合され、当該係合状態を維持することにより、ハンガー10がボルト3に支持されてなる。【選択図】図８
2020197228.tif 000002
【特許請求の範囲】
【請求項１】
おねじ部を有するボルトと、
前記ボルトに固定される止め具と
を備え、
前記止め具は、前記ボルトの軸方向に延設された貫通孔を有する本体、前記貫通孔を形成する前記本体の側壁を前記軸方向に切り欠いた第1切欠部、前記貫通孔の内周面に形成されるめねじ部、前記本体から前記軸方向に延在されて支持対象物が引っ掛けられて吊り下げられるフックを具備するハンガーを有し、
前記本体を前記軸方向に対し傾斜させた姿勢で前記第1切欠部から前記本体に前記ボルトを挿通させた後、前記本体を前記軸方向に沿う向きに傾動させることにより、前記おねじ部に対する螺進方向と交差する交差方向から、前記めねじ部が前記おねじ部に係合され、当該係合状態を維持することにより、前記ハンガーが前記ボルトに支持されてなる、ボルト支持ユニット。
【請求項２】
前記めねじ部は、前記おねじ部と同じねじピッチを有する、請求項１に記載のボルト支持ユニット。
【請求項３】
前記めねじ部は、前記第１切欠部と前記ボルトの径方向において対向する位置に形成される、請求項２に記載のボルト支持ユニット。
【請求項４】
前記ハンガーは、前記貫通孔を形成する前記本体の側壁を、前記第１切欠部と前記径方向に対向する位置において、前記第１切欠部と前記軸方向の異なる向きから切り欠いた第２切欠部を有する、請求項３に記載のボルト支持ユニット。
【請求項５】
前記めねじ部は、前記第２切欠部と前記ボルトの径方向において対向する位置に形成される、請求項４に記載のボルト支持ユニット。
【請求項６】
前記ハンガーは、前記本体の一端壁から前記軸方向に突設される支持部を有し、
前記支持部は、前記係合状態において前記ボルトに前記径方向から当接される、請求項５に記載のボルト支持ユニット。
【請求項７】
請求項１から６の何れか一項に記載の前記ハンガーからなる、止め具。
【発明の詳細な説明】
【技術分野】
【０００１】
本発明は、ボルト支持ユニット及び止め具に関する。
【背景技術】
【０００２】
例えば軽天などの室内の建築下地に野縁を取り付けるためには、天井フレームを支持するためのハンガーを設ける必要がある。そのためには、ハンガーを装着した吊ボルトが天井に固定される。しかし、吊ボルトは例えば２ｍ程度の長尺となる場合がある。従って、作業者は、ハンガーを吊ボルトに固定するためのナットを繰り返し回しながらハンガーの固定位置まで螺進させなければならないため、施工の作業性が悪化する。
【０００３】
そこで、特許文献１では、吊ボルトの先端を錐形にすることにより、吊ボルトにナットに螺合し易くしている。また、吊ボルトに対するハンガーの止め具には、螺子溝が形成された基部と、吊ボルトをハンガーとの間で挟み込むクリップ部とが形成されている。
【先行技術文献】
【特許文献】
【０００４】
【特許文献１】実用新案登録第３０８４０６２号公報
【発明の概要】
【発明が解決しようとする課題】
【０００５】
特許文献１のボルト支持ユニットは、吊りボルト（ボルト）、ハンガー、クリップ部を有する止め具、ナットから構成されている。ハンガーに懸架される支持対象物の重量は、ボルトにかかる前に、ハンガーの水平部と止め具のクリップ部との係合部にかかる。この係合部は、水平部に対するクリップ部の挟み込みによって形成されるため、ボルト支持ユニットに大きな耐荷重は望めず、要求される耐荷重に対して信頼性が確保できないおそれがある。
【０００６】
また、作業者は、ハンガー、止め具、ナットの３つの部品を保持しながら、吊るされたボルトをハンガーと止め具とで挟んだ後、ナットをボルトに締結するという２アクションでの作業を行うこととなる。また、ボルトはナットに螺合し易いものの、ボルトへのナットの螺合を依然として行わなければならない。従って、ボルト支持ユニットの設置に係る作業性向上には依然として課題が残されている。
また、ボルトをハンガーと止め具とで挟んで位置決めした後、ナットをボルトに締結する際の締結具合や締結位置のずれが生じると、最終的に止め具ひいてはハンガーの位置ずれが生じ、ボルト支持ユニットの設置精度が低下するおそれがある。
【０００７】
本発明は、このような課題に鑑みてなされたもので、ボルトの設置に係る作業性向上、設置精度向上、信頼性向上を簡単な構成で実現することができるボルト支持ユニット及び止め具を提供することを目的とする。
【課題を解決するための手段】
【０００８】
上記の目的を達成するべく、本発明のボルト支持ユニットは、おねじ部を有するボルトと、ボルトに固定される止め具とを備え、止め具は、ボルトの軸方向に延設された貫通孔を有する本体、貫通孔を形成する本体の側壁を軸方向に切り欠いた第1切欠部、貫通孔の内周面に形成されるめねじ部、本体から軸方向に延在されて支持対象物が引っ掛けられて吊り下げられるフックを具備するハンガーを有し、本体を軸方向に対し傾斜させた姿勢で第1切欠部から本体にボルトを挿通させた後、本体を軸方向に沿う向きに傾動させることにより、おねじ部に対する螺進方向と交差する交差方向から、めねじ部がおねじ部に係合され、当該係合状態を維持することにより、ハンガーがボルトに支持されてなる。
また、本発明の止め具は、前述したボルト支持ユニットに用いるハンガーからなり、前述したボルトに固定される。
【発明の効果】
【０００９】
本発明のボルト支持ユニット及び止め具によれば、ボルトの設置に係る作業性向上、設置精度向上、信頼性向上を簡単な構成で実現することができる。
【図面の簡単な説明】
【００１０】
【図１】本発明の一実施形態に係るボルト支持ユニットが天井フレームを懸架した状態を示す斜視図である。
【図２】図１のハンガーの斜視図である。
【図３】図２のＡ方向から見たハンガーの側面図である。
【図４】図２のＢ方向から見たハンガーの側面図である。
【図５】図２のＣ方向から見たハンガーの側面図である。
【図６】図２のＤ方向から見たハンガーの上面図である。
【図７】図２のＥ方向から見たハンガーの下面図である。
【図８】（ａ）〜（ｂ）：ボルト支持ユニットを設置するための施工手順を示す説明図である。
【発明を実施するための形態】
【００１１】
以下、図面を参照して、本発明の一実施形態に係るボルト支持ユニットについて説明する。
図１は、ボルト支持ユニット１（以下、単に支持ユニット１ともいう）が天井フレーム（支持対象物）２を懸架した状態の斜視図を示す。天井フレーム２は、図示しない軽天等の建築下地の下方に設けられ、図示しない天井パネルが配置される。天井フレーム２は、複数の支持ユニット１によって建築下地に支持される。
【００１２】
支持ユニット１は、建築下地から延設される例えば２ｍ程度の長尺のボルト３と、ボルト３に固定される止め具４とを備えている。ボルト３には、おねじ部３ａが形成され、止め具４は、ハンガー１０から構成されている。なお、本明細書は、支持ユニット１の設置状態において、ボルト３の軸方向を「軸方向」とし、ボルト３の径方向を「径方向」とし、ボルト３の周方向を「周方向」として説明する。また、便宜上、各図に示した上下左右の方向に基づいて説明を行うが、これらの方向は実際の支持ユニット１の設置状況に応じて変わるものである。
【００１３】
ハンガー１０は、ボルト３に対して係合により支持され、この係合状態を維持することによりボルト３に固定され、ハンガー１０の後述するフック５０に天井フレーム２などの支持対象物が懸架される。なお、図示しない筒状などのカバーをハンガー１０の上部に被せて装着しても良い。この場合には、止め具４の設置状態においてハンガー１０の傾きや脱落を効果的に阻止しながら、ハンガー１０をより一層強固に固定可能である。
【００１４】
図２はハンガー１０の斜視図、図３は図２のＡ方向から見たハンガー１０の側面図、図４は図２のＢ方向から見たハンガー１０の側面図、図５は図２のＣ方向から見たハンガー１０の側面図、図６は図２のＤ方向から見たハンガー１０の上面図、図７は図２のＥ方向から見たハンガー１０の下面図をそれぞれ示す。
【００１５】
ハンガー１０は、本体２０、第1切欠部３０、めねじ部４０、フック５０、第２切欠部６０、支持部７０を具備する。本体２０は、例えば筒状をなし、軸方向に延設された貫通孔２１を有する。貫通孔２１は、軸方向に対向する上壁２２、下壁２３を貫通し、周壁、換言すると側壁２４により囲まれて形成される。第1切欠部３０は、本体２０の側壁２４を軸方向の下方から切り欠いて形成されている。
【００１６】
第２切欠部６０は、本体２０の側壁２４を第１切欠部３０と径方向に対向する位置において、第１切欠部３０と軸方向の異なる向き、すなわち軸方向の上方から切り欠いて形成されている。めねじ部４０は、側壁２４における貫通孔２１の内周面に形成され、おねじ部３ａと同じねじピッチを有する。めねじ部４０は、第１切欠部３０とボルト３の径方向において対向する位置と、第２切欠部６０とボルト３の径方向において対向する位置とにそれぞれ形成されている。
【００１７】
本体２０に第１切欠部３０、第２切欠部６０を形成したことにより、上壁２２と下壁２３とに半円状をなす内周面がそれぞれ形成され、貫通孔２１及びめねじ部４０はこれらの内周面のみに形成されることとなる。なお、これに限らず、めねじ部４０を第１切欠部３０及び第２切欠部６０の一方の対向位置のみに設けても良い。
【００１８】
フック５０は、本体２０から軸方向に延在されて支持対象物が引っ掛けられて吊り下げられる。詳しくは、フック５０は、本体２０の下壁２３から軸方向に沿って下方に延在する軸方向部５１と、軸方向部５１から上方に折曲された折曲部５２とを有する。折曲部５２に天井フレーム２などの支持対象物を引っ掛けて支持させることが可能である。
【００１９】
支持部７０は、本体２０の一端壁である上壁２２から軸方向に突設され、ボルト３に対するハンガー１０の係合状態においてボルト３に径方向から当接される。具体的には、支持部７０は合口７１を有する途切れた環状をなしており、ボルト３に対してハンガー１０を軸方向に沿うように傾動すると、合口７１から支持部７０の径方向内側にボルト３が位置付けられる。
【００２０】
このように、本体２０には、第１切欠部３０と第２切欠部６０とが軸方向の異なる向きに、且つ径方向の対向位置に形成されることにより、本体２０には、側壁２４を径方向に貫通する空洞２５が形成される。そして、空洞２５の下側と上側とに位置する貫通孔２１の内周面に、それぞれめねじ部４０が形成されることとなる。
【００２１】
また、本体２０に第１切欠部３０と第２切欠部６０とを形成したことにより、第１切欠部３０と第２切欠部６０とから空洞２５及び貫通孔２１に至る空間において、本体２０すなわちハンガー１０を軸方向に対し傾斜させながら、ボルト３を貫通孔２１に位置付け、ひいては上壁２２及び下壁２３の内周面に形成された各めねじ部４０に係合させることができる。
【００２２】
以下、図８（ａ）〜（ｂ）を参照して、支持ユニット１を設置するための施工手順について説明する。図８（ａ）〜（ｂ）は、支持ユニット１の施工過程を説明するために、ハンガー１０を部分的な縦断面として模式的に示している。
【００２３】
図８（ａ）に示すように、先ず、本体２０を軸方向に対し傾斜させた姿勢、換言すると、ハンガー１０を本体２０の側壁２４が軸方向に対し傾斜した姿勢にし、この状態で、第１切欠部３０から本体２０にボルト３を挿通させる。これにより、第２切欠部６０からボルト３を突出させることができ、ボルト３が本体２０の空洞２５に位置付けられる。この際、ボルト３に対するハンガー１０の高さ位置を調整することにより、本体２０からのボルト３の下方への突出高さが決まる。なお、第２切欠部６０から本体２０にボルト３を挿通させても良い。
【００２４】
次に、図８（ｂ）に示すように、矢印方向に、本体２０すなわちハンガー１０を軸方向に沿う向きに傾動させる。これにより、ボルト３のおねじ部３ａに対する螺進方向（換言すると軸方向）と交差する交差方向（換言すると径方向）から、各めねじ部４０がおねじ部３ａに係合され、この係合状態（以下、上記係合状態ともいう）を維持することにより、ハンガー１０がボルト３に支持される。
【００２５】
併せて、支持部７０がボルト３に径方向から当接されることにより、ボルト３に対するハンガー１０のがたつきが抑制され、ボルト３にハンガー１０たる止め具４が強固に支持され、支持ユニット１の設置が完了する。設置が完了した支持ユニット１においては、フック５０の折曲部５２に天井フレーム２などの支持対象物が引っ掛けられて吊るされる。なお、支持ユニット１を形成した後にボルト３を建築下地に固定しても良いし、ボルト３を建築下地に固定した後に前述した手順により支持ユニット１を形成することも可能である。
【００２６】
フック５０で懸架された支持対象物の荷重は主として鉛直下方にかかるため、ハンガー１０は、フック５０の軸方向部５１が鉛直方向に沿った姿勢に維持され、ひいては本体２０の軸方向が鉛直方向となる姿勢に維持され、本体２０が鉛直方向に対して傾斜することは基本的にはない。また、このような姿勢において支持部７０がボルト３に径方向から当接されることにより、鉛直方向に対する本体２０の傾斜が規制される。従って、支持ユニット１の使用時において、上記係合状態が解除されることはなく、ハンガー１０が脱落することはない。
【００２７】
以上のように、本実施形態の支持ユニット１は、各めねじ部４０を交差方向からボルト３のおねじ部３ａに係合させることにより、止め具４たるハンガー１０をワンタッチでボルト３に位置決めすることができる。従って、ボルト３の設置に係る作業性向上、設置精度向上、信頼性向上を簡単な構成で実現することができる。
【００２８】
より具体的には、ハンガー１０の本体２０に第１切欠部３０を設けたことにより、一部材の本体２０を軸方向に対し傾斜させるだけで、第１切欠部３０から本体２０にボルト３を挿通させることが可能である。さらに、本体２０を軸方向に沿う向きに傾動させるだけで、ハンガー１０の各めねじ部４０を交差方向からボルト３のおねじ部３ａに係合させることが可能である。
【００２９】
すなわち、ボルト３に対するハンガー１０の位置決めに際し、従来のように、作業者は、複数の部品を保持しながら、ナットをボルト３のおねじ部３ａに対して繰り返し回して螺進させなくても良い。これにより、一部材の本体２０からなるハンガー１０を用いるだけで、ボルト３に対するハンガー１０の位置決め作業を大幅に簡素化することができるとともに、その作業時間を大幅に短縮することができる。従って、支持ユニット１の設置に係る施工の作業性が大幅に向上する。
【００３０】
また、ハンガー１０は、止め具４としての機能を一部材により実現しているため、材質の選択に応じて剛性を高めることにより、要求される耐荷重を満たし、支持ユニット１の信頼性を向上することもできる。また、上記係合状態の形成により、ボルト３の高さ調整を事前に行うことが可能である。
【００３１】
従って、従来のように、ナットをボルト３に締結する際の締結具合や締結位置のずれにより止め具４ひいてはハンガー１０の位置ずれが生じることはなく、ボルト３の突出高さにばらつきが生じ難く、ボルト３の設置精度が向上する。
【００３２】
また、ハンガー１０の各めねじ部４０は、ボルト３のおねじ部３ａと同じピッチを有する。これにより、上記係合状態を互いのねじの山と谷を合致させて確実に行うことができる。これにより、ボルト３にハンガー１０をより一層強固に固定することができ、ボルト３が傾動することがさらに効果的に防止され、ボルト３の垂直な立設を効果的に維持可能である。従って、ボルト３の設置精度がさらに向上するとともに、支持ユニット１の信頼性がさらに向上する。
【００３３】
また、各めねじ部４０は、第１切欠部３０と第２切欠部６０とのボルト３の径方向の対向位置にそれぞれ形成される。これにより、第１切欠部３０と第２切欠部６０とを介してボルト３にハンガー１０を挿通させ、本体２０を軸方向に沿う向きに傾動させたときに、ハンガー１０の各めねじ部４０を交差方向からボルト３のおねじ部３ａに確実に係合させることが可能である。従って、支持ユニット１の設置過程における上記係合状態の維持に際し、ハンガー１０の脱落などが生じ難く、支持ユニット１の設置に係る施工の作業性及び信頼性がさらに向上する。
【００３４】
また、本体２０に第２切欠部６０を形成したことにより、本体２０内に広い空洞２５を確保することができるため、ボルト３にハンガー１０を挿通させ、本体２０を軸方向に沿う向きに傾動させる作業をより一層円滑に行うことができ、支持ユニット１の設置に係る施工の作業性がさらに向上する。さらに、ハンガー１０の軽量化も実現される。
【００３５】
また、ハンガー１０が支持部７０を有することにより、上記係合状態において、支持部７０がボルト３に径方向から当接される。これにより、上記係合状態を維持する際、ハンガー１０の脱落などがさらに生じ難くなるため、支持ユニット１の設置に係る施工の作業性がさらに向上する。
【００３６】
以上で本発明の実施形態についての説明を終えるが、本発明は上記実施形態に限定されるものではなく、本発明の趣旨を逸脱しない範囲で種々の変更ができるものである。
【００３７】
例えば、本体２０を軸方向に対し傾斜させた姿勢で第1切欠部３０から本体２０にボルト３を挿通させた後、本体２０を軸方向に沿う向きに傾動させることができ、ひいては上記係合状態を形成することができるのであれば、止め具４たるハンガー１０に第２切欠部６０は必ずしも形成されなくとも良い。支持部７０についても同様である。
【００３８】
また、図８（ａ）〜（ｂ）により説明した支持ユニット１の設置に係る施工手順は、説明したものに厳密に限定されるものではない。また、支持ユニット１を構成する前述した各部材の形状や、ハンガー１０における各部位の位置は、それぞれの前述した機能を達成可能であれば、必ずしも説明したものに厳密に限定されるものではない。
【００３９】
また、支持ユニット１及び止め具４は、天井フレーム２の懸架の用途に限定されるものではなく、天井裏に配策されるケーブルの支持など広い支持対象物に適用可能である。
【符号の説明】
【００４０】
１    ボルト支持ユニット
２    天井フレーム（支持対象物）
３    ボルト
３ａ    おねじ部
４    止め具
１０    ハンガー
２０    本体
２１    貫通孔
２３    下壁（一端壁）
２４    側壁
３０    第１切欠部
４０    めねじ部
５０    フック
６０    第２切欠部
７０    支持部
【図１】
2020197228.tif 000003
【図２】
2020197228.tif 000004
【図３】
2020197228.tif 000005
【図４】
2020197228.tif 000006
【図５】
2020197228.tif 000007
【図６】
2020197228.tif 000008
【図７】
2020197228.tif 000009
【図８】
2020197228.tif 000010